(57)【特許請求の範囲】
【請求項１】
搬送ベルト上で送られる記録紙を画像形成処理する画像形成装置において、前記搬送ベルトを駆動する駆動装置に備えられるベルト駆動ギアに係合される搬送ベルト用ギアに対して係合される微調整用ギアと、前記駆動装置に備えられる駆動源とは別途に微量な動力を駆動する微量駆動源と、前記微量駆動源からの駆動力を前記微調整用ギアに対して複数の伝達部材を組み合わせて可動な状態で伝達させて当該微調整用ギアの回転力を制御する動力伝達可動部材と、を含む紙送り微調整制御手段と、少なくとも１つのエンコーダ及びリニアスケールを含んで構成されると共に、前記記録紙の紙送り距離を測定する紙送り距離測定手段と、を備え、前記微量駆動源は、前記紙送り距離測定手段による前記紙送り距離の測定結果を設定された目標値と比較し、当該測定結果が当該目標値よりも小さい場合に前記微調整用ギアの回転力を弱めて紙送り量を大きくするために前記駆動力を減少させる制御が行われると共に、当該測定結果が当該目標値よりも大きい場合に当該微調整用ギアの回転力を強めて紙送り量を小さくするために当該駆動力を増大させる制御が行われることを特徴とする画像形成装置。
【請求項２】
請求項１記載の画像形成装置において、前記微量駆動源は、微調整用モータであり、前記動力伝達可動部材は、前記微調整用モータの回転軸に係合されて当該回転軸の延在方向で移動する微調整ネジと、前記微調整ネジに結合されて前記微調整用モータの回転軸の延在方向で移動する第１の伝達部材と、前記微調整用ギアに取り付けられると共に、一端が当該微調整用ギアの軸心に結合され、当該微調整用ギアの外周寄り部分に位置される他端が前記第１の伝達部材の端部との間で連結された第２の伝達部材と、を備えて成ることを特徴とする画像形成装置。
【請求項３】
請求項１記載の画像形成装置において、前記微量駆動源は、ピエゾ素子であり、前記動力伝達可動部材は、前記ピエゾ素子に結合されて当該ピエゾ素子の収縮方向で移動する第１の伝達部材と、前記微調整用ギアに取り付けられると共に、一端が当該微調整用ギアの軸心に結合され、当該微調整用ギアの外周寄り部分に位置される他端が前記第１の伝達部材の端部との間で連結された第２の伝達部材と、を備えて成ることを特徴とする画像形成装置。
【請求項４】
請求項１記載の画像形成装置において、前記微量駆動源は、微調整用モータ及びピエゾ素子であり、前記動力伝達可動部材は、前記微調整用モータの回転軸に係合されて当該回転軸の延在方向で移動する微調整ネジと、前記微調整ネジに結合されて前記微調整用モータの回転軸の延在方向で移動する第１の伝達部材と、前記微調整用ギアとしての第１の微調整用ギアに取り付けられると共に、一端が当該第１の微調整用ギアの軸心に結合され、当該第１の微調整用ギアの外周寄り部分に位置される他端が前記第１の伝達部材の端部との間で連結された第２の伝達部材と、を備えて成る第１の部材と、前記ピエゾ素子に結合されて当該ピエゾ素子の収縮方向で移動する第３の伝達部材と、前記微調整用ギアとしての前記第１の微調整用ギアとは別個な第２の微調整用ギアに取り付けられると共に、一端が当該第２の微調整用ギアの軸心に結合され、当該第２の微調整用ギアの外周寄り部分に位置される他端が前記第３の伝達部材の端部との間で連結された第４の伝達部材と、を備えて成る第２の部材と、を有することを特徴とする画像形成装置。
【請求項５】
請求項１記載の画像形成装置において、前記紙送り距離測定手段は、前記エンコーダとしての２つの２相出力エンコーダと、前記リニアスケールとしての前記搬送ベルトの両側に配置された２つのリニアスケールと、前記２つの２相出力エンコーダを切り換える切り換え用電装品と、を備えて成ることを特徴とする画像形成装置。
【請求項６】
請求項１記載の画像形成装置において、前記紙送り距離測定手段は、前記エンコーダとしての２つの２相出力エンコーダと、前記リニアスケールとしての前記搬送ベルトの片側に配置された１つのリニアスケールと、前記２つの２相出力エンコーダを切り換える切り換え用電装品と、を備えて成ることを特徴とする画像形成装置。
【請求項７】
請求項１記載の画像形成装置において、前記紙送り距離測定手段は、前記エンコーダとしての１つのリニアエンコーダ、並びに１つの２相出力エンコーダと、前記リニアスケールとしての前記搬送ベルトの両側に配置された２つのリニアスケールと、前記１つのリニアエンコーダ又は前記１つの２相出力エンコーダを切り換える切り換え用電装品と、を備えて成ることを特徴とする画像形成装置。
【請求項８】
請求項１記載の画像形成装置において、前記紙送り距離測定手段は、前記エンコーダとしての１つのリニアエンコーダ、並びに１つの２相出力エンコーダと、前記リニアスケールとしての前記搬送ベルトの片側に配置された１つのリニアスケールと、前記１つのリニアエンコーダ又は前記１つの２相出力エンコーダを切り換える切り換え用電装品と、を備えて成ることを特徴とする画像形成装置。
【発明の詳細な説明】
【技術分野】
【０００１】
本発明は、カラー画像を形成する際に搬送ベルトの移動距離を測定する機能を有する、搬送ベルト上で送られる画像を有する紙を処理する画像形成装置に関するものである。
【背景技術】
【０００２】
従来のインクジェットプリンタ等の画像形成装置における搬送ベルトを用いた紙搬送機構、とくに転写機構では搬送される記録紙に僅かな紙送り量の誤差が生じ、色ずれの原因となっていた。
このため、搬送ベルトの幅方向端部にスケールを設け、搬送ベルトの移動距離をエンコーダのパルス数で測定し、副走査方向の色ずれを防ぐ方法が提案されている（例えば、特許文献１参照）。
【特許文献１】特開２００４−１７５０５公報
【発明の開示】
【発明が解決しようとする課題】
【０００３】
しかしながら、従来の画像形成装置においては、紙搬送は搬送ベルトと１つのモータのみによる構成によって行われている。かかる構成では数μｍ単位での移動制御は非常に難しい。
また、２つのリニアエンコーダを用いて精密紙搬送距離測定を行おうとする技術も検討されているが、リニアエンコーダでは搬送方向が限定されており、逆回転を含めての微調整を行うことができない。
そこで、本発明の目的は、上述した実情を考慮して、搬送ベルト上での紙送り量を精密に測定し、精密な単位まで紙送り量を制御可能とする画像形成装置を提供することにある。
【課題を解決するための手段】
【０００４】
上記目的を達成するため、本発明における第１の発明は、搬送ベルト上で送られる記録紙を画像形成処理する画像形成装置において、前記搬送ベルトを駆動する駆動装置に備えられるベルト駆動ギアに係合される搬送ベルト用ギアに対して係合される微調整用ギアと、前記駆動装置に備えられる駆動源とは別途に微量な動力を駆動する微量駆動源と、前記微量駆動源からの駆動力を前記微調整用ギアに対して複数の伝達部材を組み合わせて可動な状態で伝達させて当該微調整用ギアの回転力を制御する動力伝達可動部材と、を含む紙送り微調整制御手段と、少なくとも１つのエンコーダ及びリニアスケールを含んで構成されると共に、前記記録紙の紙送り距離を測定する紙送り距離測定手段と、を備え、前記微量駆動源は、前記紙送り距離測定手段による前記紙送り距離の測定結果を設定された目標値と比較し、当該測定結果が当該目標値よりも小さい場合に前記微調整用ギアの回転力を弱めて紙送り量を大きくするために前記駆動力を減少させる制御が行われると共に、当該測定結果が当該目標値よりも大きい場合に当該微調整用ギアの回転力を強めて紙送り量を小さくするために当該駆動力を増大させる制御が行われることを特徴とする。
第２の発明は、第１の発明の画像形成装置において、前記微量駆動源は、微調整用モータであり、前記動力伝達可動部材は、前記微調整用モータの回転軸に係合されて当該回転軸の延在方向で移動する微調整ネジと、前記微調整ネジに結合されて前記微調整用モータの回転軸の延在方向で移動する第１の伝達部材と、前記微調整用ギアに取り付けられると共に、一端が当該微調整用ギアの軸心に結合され、当該微調整用ギアの外周寄り部分に位置される他端が前記第１の伝達部材の端部との間で連結された第２の伝達部材と、を備えて成ることを特徴とする。
第３の発明は、第１の発明の画像形成装置において、前記微量駆動源は、ピエゾ素子であり、前記動力伝達可動部材は、前記ピエゾ素子に結合されて当該ピエゾ素子の収縮方向で移動する第１の伝達部材と、前記微調整用ギアに取り付けられると共に、一端が当該微調整用ギアの軸心に結合され、当該微調整用ギアの外周寄り部分に位置される他端が前記第１の伝達部材の端部との間で連結された第２の伝達部材と、を備えて成ることを特徴とする。
第４の発明は、第１の発明の画像形成装置において、前記微量駆動源は、微調整用モータ及びピエゾ素子であり、前記動力伝達可動部材は、前記微調整用モータの回転軸に係合されて当該回転軸の延在方向で移動する微調整ネジと、前記微調整ネジに結合されて前記微調整用モータの回転軸の延在方向で移動する第１の伝達部材と、前記微調整用ギアとしての第１の微調整用ギアに取り付けられると共に、一端が当該第１の微調整用ギアの軸心に結合され、当該第１の微調整用ギアの外周寄り部分に位置される他端が前記第１の伝達部材の端部との間で連結された第２の伝達部材と、を備えて成る第１の部材と、前記ピエゾ素子に結合されて当該ピエゾ素子の伸縮方向で移動する第３の伝達部材と、前記微調整用ギアとしての前記第１の微調整用ギアとは別個な第２の微調整用ギアに取り付けられると共に、一端が当該第２の微調整用ギアの軸心に結合され、当該第２の微調整用ギアの外周寄り部分に位置される他端が前記第３の伝達部材の端部との間で連結された第４の伝達部材と、を備えて成る第２の部材と、を有することを特徴とする。
第５の発明は、第１の発明の画像形成装置において、前記紙送り距離測定手段は、前記エンコーダとしての２つの２相出力エンコーダと、前記リニアスケールとしての前記搬送ベルトの両側に配置された２つのリニアスケールと、前記２つの２相出力エンコーダを切り換える切り換え用電装品と、を備えて成ることを特徴とする。
第６の発明は、第１の発明の画像形成装置において、前記紙送り距離測定手段は、前記エンコーダとしての２つの２相出力エンコーダと、前記リニアスケールとしての前記搬送ベルトの片側に配置された１つのリニアスケールと、前記２つの２相出力エンコーダを切り換える切り換え用電装品と、を備えて成ることを特徴とする。
第７の発明は、第１の発明の画像形成装置において、前記紙送り距離測定手段は、前記エンコーダとしての１つのリニアエンコーダ、並びに１つの２相出力エンコーダと、前記リニアスケールとしての前記搬送ベルトの両側に配置された２つのリニアスケールと、前記１つのリニアエンコーダ又は前記１つの２相出力エンコーダを切り換える切り換え用電装品と、を備えて成ることを特徴とする。
第８の発明は、第１の発明の画像形成装置において、前記紙送り距離測定手段は、前記
エンコーダとしての１つのリニアエンコーダ、並びに１つの２相出力エンコーダと、前記
リニアスケールとしての前記搬送ベルトの片側に配置された１つのリニアスケールと、前
記１つのリニアエンコーダ又は前記１つの２相出力エンコーダを切り換える切り換え用電
装品と、を備えて成ることを特徴とする。
【発明の効果】
【０００５】
本発明の画像形成装置によれば、紙送り距離測定手段で得られる紙送り距離の測定結果に基づいて紙送り微調整制御手段が紙送り量を微調整して制御するため、精密な単位で紙送りが行われ、その結果として色ずれのなくプリントできるようになる。
【発明を実施するための最良の形態】
【０００６】
以下、図面を参照して、本発明の実施形態を詳細に説明する。図１はタンデム型レーザプリンタである画像形成装置を示す概略図である。図１において、作像ユニット１Ｙ、１Ｍ、１Ｃ、１Ｂｋの感光体ドラム２Ｙ、２Ｍ、２Ｃ、２Ｂｋと１次転写ローラ３ａ、３ｂ、３ｃ、３ｄの間には搬送ベルト（中間転写ベルト）４が、図の矢印の方向に移動するように、ベルト駆動ローラ５、従動ローラ６及び対向ローラ７の周りに掛け回されている。搬送ベルト（中間転写ベルト）４を挟んだ対向ローラ７の対向位置には２次転写ローラ８が配置されている。転写紙Ｐはこの２次転写ローラ８と対向ローラ７のニップ部へ進入する。ベルト駆動ローラ５の近傍にはギア９及び駆動モータ１０が配置されている。
図２は高精度な紙送りを実現する紙送り実現手段である微調整手段の第１の実施の形態を示す概略図である。図２には示してないが、図１の駆動モータ１０により駆動ローラ５を駆動することにより搬送ベルト（中間転写ベルト）４を回す。
すなわち、初めは、従来の方法通り、図示してないロータリーエンコーダと駆動モータ１０を用い搬送ベルト（中間転写ベルト）４を動作させる。ロータリーエンコーダは、例えば、モータの出力軸等に設けたパルス板のスリットをフォトセンサによって検出する構成となっている。
しかしながら、これだけでは狙い通りの紙送り量精度を実現できないので微調整を行う。このため、図２の第１の実施の形態の紙送り微調整制御手段では微調整ネジ１１を用いる。なお、図示してない駆動モータ（メインモータ）が作動している時はクラッチ（図示せず）を用いて微調整用ギア１２は回らないようになっている。
後述するように、微調整ネジ１１は微調整用モータ１３によって回転させられる。図２には、さらに、搬送ベルト用ギア１４、及びメインモータ用ギア１５、微調整ネジ１１の運動を微調整用ギア１２に伝達する伝達部材１６、１７を示している。回転方向は後述の図８のフローチャート上のレジスタＡ・Ｂの値の大小関係によって決まる。
図２の紙送り微調整制御手段において、メインモータ用ギア１５は図１の駆動モータ１０のギア９に相当し、搬送ベルト用ギア１４はメインモータ用ギア１５に接する位置に、そして微調整用ギア１２は搬送ベルト用ギア１４に接する位置に配置されている。
微調整用モータ１３によって回転させられる微調整ネジ１１はこの回転により軸方向に進退動し、この進退動に応答して微調整ネジ１１に連結された伝達部材１６が同様に進退動し、この運動を、伝達部材１７を介して微調整用ギア１２に伝達する。この場合、微調整用モータ１３及び微調整ネジ１１は伝達部材１６、１７の駆動源となっている。
図２に示す紙送り微調整制御手段は、搬送ベルト（中間転写ベルト）４を駆動する駆動装置に備えられるベルト駆動ギア（メインモータ用ギア１５）に係合される搬送ベルト用ギア１４に対して係合される微調整用ギア１２と、駆動装置に備えられる駆動源（駆動モータ１０）とは別途に微量な動力を駆動する微量駆動源としての微調整用モータ１３と、微調整用モータ１３からの駆動力を微調整用ギア１２に対して伝達部材１６、１７を組み合わせて可動な状態で伝達させて微調整用ギア１２の回転力を制御する動力伝達可動部材と、を含む構成となっている。尚、ここでの微調整用モータ１３は、少なくとも１つのエンコーダ及びリニアスケールを含んで構成されると共に、記録紙（転写紙Ｐ）の紙送り距離を測定する後述する紙送り距離測定手段による紙送り距離の測定結果を設定された目標値と比較し、測定結果が目標値よりも小さい場合に微調整用ギア１２の回転力を弱めて紙送り量を大きくするために駆動力を減少させる制御が行われると共に、測定結果が目標値よりも大きい場合に微調整用ギア１２の回転力を強めて紙送り量を小さくするために駆動力を増大させる制御が行われる。また、上述した動力伝達可動部材は、微調整用モータ１３の回転軸に係合されて回転軸の延在方向で移動する微調整ネジ１１と、微調整ネジ１１に結合されて微調整用モータ１３の回転軸の延在方向で移動する第１の伝達部材１６と、微調整用ギア１２に取り付けられると共に、一端が微調整用ギア１２の軸心に結合され、微調整用ギア１２の外周寄り部分に位置される他端が第１の伝達部材１６の端部との間で連結された第２の伝達部材１７と、を備えて構成される。
【０００７】
図３は紙送り微調整制御手段の第２の実施の形態を示す概略図である。図３では、図２の第１の実施の形態の微量駆動源である微調整用モータ１３並びに微調整ネジ１１の代わりに微量駆動源としてピエゾ素子（図３ではＰＺＴと記載）１８を用いている。
ピエゾ素子１８への印加電圧は可変抵抗１９を用いることによって変化させることができ、ピエゾ素子１８は電圧の印加によりピエゾ効果である収縮によって伝達部材１６を軸方向に駆動し、この運動をこれに連結された伝達部材１７及び微調整用ギア１２に伝達する。この場合、ピエゾ素子１８は伝達部材１６、１７の駆動源となっている。
因みに、ここでの動力伝達可動部材は、ピエゾ素子１８に結合されてピエゾ素子１８の収縮方向で移動する第１の伝達部材１６と、微調整用ギア１２に取り付けられると共に、一端が微調整用ギア１２の軸心に結合され、微調整用ギア１２の外周寄り部分に位置される他端が第１の伝達部材１６の端部との間で連結された第２の伝達部材１７と、を備えて構成される。
印加電圧を上げるか下げるかは後述する図８のフローチャート上のレジスタＡ・Ｂの値の大小関係によって決まる。なお、この場合も、メインモータ（図示せず）が作動している時はクラッチ（図示せず）を用い微調整用ギア１２は回らないようになっている。
図４は紙送り微調整制御手段の第３の実施の形態を示す概略図である。図４では、微調整ネジ１１とピエゾ素子１８とを用いて微調整を行う。微調整ネジ１１は比較的大きな微調整（数十μｍ単位または図６のリニアスケールのパルス数が数十個単位など）、ピエゾ素子１８は微小な微調整（数μｍ単位または図６のリニアスケールのパルス数が数個単位など）に使用する。
因みに、ここでの動力伝達可動部材は、微調整用モータ１３の回転軸に係合されて回転軸の延在方向で移動する微調整ネジ１１と、微調整ネジ１１に結合されて微調整用モータ１３の回転軸の延在方向で移動する第１の伝達部材１６と、微調整用ギアとしての第１の微調整用ギア１２に取り付けられると共に、一端が第１の微調整用ギア１２の軸心に結合され、第１の微調整用ギア１２の外周寄り部分に位置される他端が第１の伝達部材１６の端部との間で連結された第２の伝達部材１７と、を備えて成る第１の部材と、ピエゾ素子１８に結合されてピエゾ素子１８の収縮方向で移動する第３の伝達部材１６と、微調整用ギアとしての第１の微調整用ギア１２とは別個な第２の微調整用ギア１２に取り付けられると共に、一端が第２の微調整用ギア１２の軸心に結合され、第２の微調整用ギア１２の外周寄り部分に位置される他端が第３の伝達部材１６の端部との間で連結された第４の伝達部材１７と、を備えて成る第２の部材と、を有する。
なお、それぞれのギア（微調整用ギア１２）には図示してないクラッチが付いており、それぞれの駆動系以外が作動している時にはクラッチをオフすることにより回転しない。微調整ネジ１１は微調整用モータ１３によって回転させる。回転方向は後述する図８のフローチャート上のレジスタＡ・Ｂの値の大小関係によって決まる。
ピエゾ素子１８への印加電圧は、図３の実施の形態と同様に、可変抵抗を用いることによって変化させることができ、印加電圧を上げるか下げるかは図８のフローチャート上のレジスタＡ・Ｂの大小関係によって決まる。
この実施の形態では、従来から使用しているロータリーエンコーダ及び駆動モータに加え、微調整ネジ１１、ピエゾ素子１８を使用した紙送り微調整制御手段により紙送り量の微調整を行っているので、高精度な紙送りを実現できる。
【０００８】
図５は、後述する画像形成装置に用いられる紙送り距離測定手段での測定の設定に適用されるレジスタの構成を示す概略図である。図５の構成において、レジスタＡには目標パルス数をセットする。レジスタＢにはレジスタＣ、Ｄの合計位置を記録する。レジスタＣには第１のエンコーダ（後述）のパルスカウント数を記録する。レジスタＤには第１のエンコーダ（後述）のパルスカウント数を記録する。そしてレジスタＥには０×０１を予めセットする。
図６は紙送り微調整制御手段の第１の実施の形態を示す概略図である。図７は切り換え用電装品を示す概略図である。図６及び図７において、搬送ベルト（中間転写ベルト）４の１部分が示され、その幅方向両端縁に沿った面上に第１及び第２のリニアスケール２０、２１を貼り付けてある。
しかし、図７は長い搬送ベルト４を短縮化してエンドレスベルトとして断面図で示している。従って、第２のリニアスケール２１及び第２の２相出力エンコーダ２３は現れていない。
【０００９】
図７には、さらに、第１の２相出力エンコーダ２２とエンコーダ切り換え用電装品であるセンサ（フォトインタラプタ）２４、このセンサ（フォトインタラプタ）２４の光を遮る第１及び第２の棒２５、２６、及び第１のリニアスケール２０の繋ぎ目２０ａが示されている。これらに関連する動作は後述する。
今、目標紙搬送距離に相当するパルス数を図５のレジスタＡにセットする。この際、レジスタＣには第１の２相出力エンコーダ２２のパルスカウント数が、そしてレジスタＤには第２の２相出力エンコーダ２３のパルスカウント数が記録される。
上述したように、レジスタＢにはレジスタＣ及びＤの合計位置がカウントされる。そして実際の紙搬送距離が目標値で止まっていることを確認しリセットされる。つまり、目標値より余分に回転している可能性もあるから、レジスタＡとレジスタＢの値が等しくなった瞬間にリセットされるのではない。
基本的には第１の２相出力エンコーダ２２で測定を行うが、第１及び第２のリニアスケール２０、２１を搬送ベルト４に貼り付ける際、どうしても繋ぎ目ができてしまい、そこの部分は等間隔の縞模様でなくなってしまう。
そこで第１の２相出力エンコーダ２２が繋ぎ目２０ａ前後位置に対面する時のみ測定を第２の２相出力エンコーダ２３に切り換える。エンコーダ切り換え用のセンサとして図７に示すようなセンサ（フォトインタラプタ）２４を利用する。
レジスタＥには予め０×１０をセットしておき、第１の棒２５で光を遮られたらレジスタＥの値はカウントダウンし０×０１となる。レジスタＥが０×０１の時は第２の２相出力エンコーダ２３が測定に使用されている。
次いで、第２の棒２６で再び光が遮られたらレジスタＥは０×００になり、第１の２相出力エンコーダ２２が測定に使用される。なお、レジスタＥは０×００になったらすぐに０×１０がセットされる。
当然であるが、第１の２相出力エンコーダ２２側が繋ぎ目２０ａ付近で第２の２相出力エンコーダ２３に切り換わっている時は第２の２相出力エンコーダ２３が繋ぎ目２１ａに到達しないような位置で繋ぎ目を作る。なお、この第１の実施の形態では第１及び第２の２相出力エンコーダ２２、２３は図６のように搬送ベルト４の両側に搭載される。
第１の実施の形態の紙送り微調整制御手段に対する紙送り距離測定手段においては、２つの２相出力エンコーダ２２、２３と、搬送ベルト４の両側に配置された第１及び第２のリニアスケール２０、２１（繋ぎ目２０ａ、２１ａを含む）と、２相出力エンコーダ２２、２３を切り換える切り換え用電装品であるセンサ（フォトインタラプタ）２４とにより構成されている。係る構成により、リニアスケール２０、２１の繋ぎ目２０ａ、２１ａで生じる誤差を無くすことができ、さらに紙（図１の転写紙Ｐ）を戻す方向にも搬送ベルト４を回転させて紙送り量の微調整が実現できる。
また、搬送ベルト４の幅方向両端縁に沿った面上にリニアスケール２０、２１とエンコーダ２２、２３がそれぞれ１つずつ搭載されているので、インクミストなどによる故障が起きても従来通りの使用は行うことができる。
【００１０】
図８は、図２で説明した紙送り微調整制御手段と図６で説明した紙送り距離測定手段とを備える画像形成装置における紙送り量の微調整の動作処理手順を説明するフローチャートである。図５乃至図８を参照して、最初の駆動時には従来の方法通り、ロータリーエンコーダとモータを用いて搬送ベルトを動作させる。しかしながら、これだけでは数十μｍの誤差が生じてしまい色ずれの原因となってしまう。
そこで、次は微小制御用の装置を用いて微調整を行う。位置決定は目標紙搬送距離に対応した第１の２相出力エンコーダ２２の目標パルス数をレジスタＡにセットし（Ｓ１）、実際にカウントした第１の２相出力エンコーダ２２のパルス数をレジスタＢでカウントする（Ｓ２）。 
次に、レジスタＡの値＞レジスタＢの値かどうかを判断し（Ｓ３）、そうであるならば、微調整を行なう（Ｓ４）。そうでないならば、レジスタＡの値＜レジスタＢの値かどうかを判断する（Ｓ５）。レジスタＡの値＜レジスタＢの値であるならば、微調整を行なう（Ｓ６）。
そうでないならば、レジスタＡの値＝レジスタＢの値かどうかを判断する（Ｓ７）。レジスタＡの値＝レジスタＢの値でないならば、ステップ（Ｓ２）の次にもどってステップ（Ｓ３）乃至ステップ（Ｓ７）の手順を繰り返す。ステップ（Ｓ７）でレジスタＡの値＝レジスタＢの値ならば終了する。なお、この実施の形態では２相のエンコーダを使用しているのでレジスタＢに記録されるカウント数はカウントアップもダウンも可能である。
図９は紙送り微調整制御手段に対する紙送り距離測定手段の第２の実施の形態を示す概略平面図である。図１０は切り換え用電装品を示す概略断面図である。図９及び図１０において、紙送り距離測定手段は、搬送ベルト４の片側に配置された第１及び第２の２相出力エンコーダ２２、２３と、第１のリニアスケール２０と、２相出力エンコーダ２２、２３を切り換える切り換え用電装品であるセンサ（フォトインタラプタ）２４とにより構成されている。
【００１１】
図１０には、さらに、第１の実施の形態におけると同様な、センサ（フォトインタラプタ）２４の光を遮る第１及び第２の棒２５、２６、及び第１のリニアスケール２０の繋ぎ目２０ａが示されている。
この実施の形態によれば、第１の実施の形態と同様に、紙送りの微調整が実現できるとともに、搬送ベルト４の片側に１つのリニアスケール２０と２つの２相出力エンコーダ２２、２３が搭載されているので、両側にリニアスケール、エンコーダをそれぞれ１つずつ搭載するよりもコストが抑えられ、またインクミストによりエンコーダが故障しても従来通りの使用は行うことができる。
図１１は紙送り微調整制御手段に対する紙送り距離測定手段の第３の実施の形態を示す概略平面図である。図１２は切り換え用電装品を示す概略断面図である。この実施の形態では、紙送り距離測定手段は、１つの２相出力エンコーダ（第１のエンコーダ）２２と、１つのリニアエンコーダ（第２のエンコーダ）２３’と、搬送ベルト４の両側に配置された第１及び第２のリニアスケール２０、２１（繋ぎ目２０ａ、２１ａを含む）と、１つの２相出力エンコーダ（第１のエンコーダ）２２、１つのリニアエンコーダ（第２のエンコーダ）２３’を切り換える切り換え用電装品であるセンサ（フォトインタラプタ）２４とを含んで構成され、精密移動可能となっている。そして第１のエンコーダ２２の２相出力の位相関係によって分かる紙搬送方向を検知する機能は常に使用し続ける。
この実施の形態では、第１の実施の形態と同様に紙送り量の微調整が実現できるとともに、２つとも２相出力のエンコーダを使用する場合に比べ１つがリニアエンコーダ２３’となっているので、コストを抑えることができる。
【００１２】
図１３は紙送り微調整制御手段に対する紙送り距離測定手段の第４の実施の形態を示す概略平面図である。図１４は切り換え用電装品を示す概略断面図である。この実施の形態では、紙送り距離測定手段は、搬送ベルト４の片側に配置された１つの２相出力エンコーダ（第１のエンコーダ）２２と、１つのリニアエンコーダ（第２のエンコーダ）２３’と、第１のリニアスケール２０（繋ぎ目２０ａを含む）と、１つの２相出力エンコーダ（第１のエンコーダ）２２、１つのリニアエンコーダ（第２のエンコーダ）２３’を切り換える切り換え用電装品であるセンサ（フォトインタラプタ）２４とを含んで構成され、精密移動可能となっている。この実施の形態において、第１のエンコーダ２２の２相出力の位相関係によって分かる紙搬送方向を検知する機能は常に使用し続ける。
この実施の形態においても第１の実施の形態と同様な紙送り量の微調整が実現できるとともに、２つとも２相出力のエンコーダを使用する場合に比べ１つがリニアエンコーダ２３’となっており、さらに使用するリニアスケール２０は１つなので、コストを抑えることができる。
【図面の簡単な説明】
【００１３】
【図１】本発明の画像形成装置を含むタンデム型レーザプリンタである画像処理装置を示す概略図である。
【図２】図１に示す画像形成装置に用いられる紙送り微調整制御手段の第１の実施の形態を示す概略図である。
【図３】図１に示す画像形成装置に用いられる紙送り微調整制御手段の第２の実施の形態を示す概略図である。
【図４】図１に示す画像形成装置に用いられる紙送り微調整制御手段の第３の実施の形態を示す概略図である。
【図５】図１に示す画像形成装置に用いられる紙送り距離測定手段での測定の設定に適用されるレジスタの構成を示す概略図である。
【図６】図１に示す画像形成装置に用いられる紙送り距離測定手段の第１の実施の形態を示す概略図である。
【図７】図６で説明した紙送り距離測定手段に含まれる切り換え用電装品を示す概略図である。
【図８】図２で説明した紙送り微調整制御手段と図６で説明した紙送り距離測定手段とを備える画像形成装置における紙送り量の微調整の動作処理手順を説明するフローチャートである。
【図９】図１に示す画像形成装置に用いられる紙送り距離測定手段の第２の実施の形態を示す概略平面図である。
【図１０】図９で説明した紙送り距離測定手段に含まれる切り換え用電装品を示す概略断面図である。
【図１１】図１に示す画像形成装置に用いられる紙送り距離測定手段の第３の実施の形態を示す概略平面図である。
【図１２】図１１で説明した紙送り距離測定手段に含まれる切り換え用電装品を示す概略断面図である。
【図１３】図１に示す画像形成装置に用いられる紙送り距離測定手段の第４の実施の形態を示す概略平面図である。
【図１４】図１３で説明した紙送り距離測定手段に含まれる切り換え用電装品を示す概略断面図である。
【符号の説明】
【００１４】
４  搬送ベルト（中間転写ベルト）
１１  微調整ネジ
１２  微調整用ギア
１３  微調整用モータ
１６  第１の伝達部材
１７  第２の伝達部材
１８  ピエゾ素子
２０  第１のリニアスケール
２０ａ  繋ぎ目
２１  第２のリニアスケール
２１ａ  繋ぎ目
２２  第１のエンコーダ（２相出力エンコーダ）
２３  第２のエンコーダ（２相出力エンコーダ）
２３’  第２のエンコーダ（リニアエンコーダ）
２４  センサ（フォトインタラプタ）
２５  第１の棒
２６  第２の棒
【図１】
0004782540.tif 000002
【図２】
0004782540.tif 000003
【図３】
0004782540.tif 000004
【図４】
0004782540.tif 000005
【図５】
0004782540.tif 000006
【図６】
0004782540.tif 000007
【図７】
0004782540.tif 000008
【図８】
0004782540.tif 000009
【図９】
0004782540.tif 000010
【図１０】
0004782540.tif 000011
【図１１】
0004782540.tif 000012
【図１２】
0004782540.tif 000013
【図１３】
0004782540.tif 000014
【図１４】
0004782540.tif 000015